【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
１つの単一の出力信号のみを有し、および前記第１の入力信号を受信し、前記第１の入力信号の位相から第１の量だけ移相された第１の移相信号に対応する前記単一の出力信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備えるデバイス。
【請求項２】
前記第１のハイブリッドは第１の９０度ハイブリッドを備える、および、前記第２のハイブリッドは第２の９０度ハイブリッドを備える、請求項１に記載のデバイス。
【請求項３】
前記第１の量は約９０度である、請求項１に記載のデバイス。
【請求項４】
前記第２の量は約９０度である、請求項１に記載のデバイス。
【請求項５】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
請求項１に記載のデバイス。
【請求項６】
前記第１の移相信号が９０度の位相または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度の位相または２７０度の位相を有するとき、前記第４の増幅器は、９０度の位相を有する少なくとも１つの高調波と２７０度の位相を有する少なくとも１つの高調波とを含む第４の増幅信号を出力する、
請求項１に記載のデバイス。
【請求項７】
前記第１のハイブリッドの第１の出力はミキサ回路の第１の局部発振器入力に結合される、および、前記第２のハイブリッドの第１の出力は前記ミキサ回路の第２の局部発振器入力に結合される、請求項１に記載のデバイス。
【請求項８】
前記第１のハイブリッドの第２の出力は第１の終端抵抗を介して接地電位に結合される、および、前記第２のハイブリッドの第２の出力は第２の終端抵抗を介して前記接地電位に結合される、請求項７に記載のデバイス。
【請求項９】
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、請求項１に記載のデバイス。
【請求項１０】
前記第１のハイブリッドの第２の出力は第２のミキサ回路の第１の局部発振器入力に結合される、および、前記第２のハイブリッドの第２の出力は前記第２のミキサ回路の第２の局部発振器入力に結合される、請求項１に記載のデバイス。
【請求項１１】
第１のミキサ回路の出力は前記第２のミキサ回路の入力に結合される、請求項１０に記載のデバイス。
【請求項１２】
前記第２の入力信号は前記第１の入力信号から１８０度移相される、請求項１に記載のデバイス。
【請求項１３】
前記第１の量は、前記第２の量とは異なる、請求項１に記載のデバイス。
【請求項１４】
前記第１のハイブリッドと前記第２のハイブリッドとを含む複数のハイブリッドと、
前記第１の増幅器と前記第２の増幅器を含とを含む複数の増幅器と、ここにおいて、前記複数のハイブリッドの各ハイブリッドの各入力は、前記複数の増幅器の単一の対応する増幅器の出力に接続される、
をさらに備える、請求項１に記載のデバイス。
【請求項１５】
前記第１の入力は、前記第１の増幅器によって出力される信号を受信するように構成される、請求項１に記載のデバイス。
【請求項１６】
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力によって受信される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力によって受信される、
１つの単一の出力信号のみを有する前記第１の入力信号を第１の移相器で受信することと、
前記第１の移相器によって前記第１の入力信号を移相して第１の移相信号に対応する前記単一の出力信号を生成することと、
前記第１の移相信号に対応する単一の出力信号を前記第１の移相器によって出力することと、
前記第１の移相信号に対応する前記単一の出力信号を第３の増幅器の入力で受信することと、ここにおいて、前記第３の増幅器の出力は前記第２のハイブリッドの第２の入力に結合される、
前記第２の入力信号を第２の移相器で受信することと、
前記第２の入力信号を移相して第２の移相信号を生成することと、
前記第２の移相信号を前記第２の移相器によって出力することと、
前記第２の移相信号を第４の増幅器の入力で受信することと、ここにおいて、前記第４の増幅器の出力は前記第１のハイブリッドの第２の入力に結合される、
を備える方法。
【請求項１７】
前記第１の移相信号に対応する前記単一の出力信号は前記第１の入力信号の位相から第１の量だけ移相される、および、前記第２の移相信号は前記第２の入力信号の位相から第２の量だけ移相される、請求項１６に記載の方法。
【請求項１８】
前記第１の量は約９０度である、および、前記第２の量は約９０度である、請求項１７に記載の方法。
【請求項１９】
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、請求項１６に記載の方法。
【請求項２０】
前記第１のハイブリッドの前記第１の出力信号は第１のミキサ回路の第１の局部発振器入力に供給される、および前記第２のハイブリッドの前記第１の出力信号は前記第１のミキサ回路の第２の局部発振器入力に供給される、請求項１９に記載の方法。
【請求項２１】
前記第１のハイブリッドの前記第２の出力信号は第２のミキサ回路の第１の局部発振器入力に供給される、および、前記第２のハイブリッドの前記第２の出力信号は前記第２のミキサ回路の第２の局部発振器入力に供給される、請求項２０に記載の方法。
【請求項２２】
前記第１のミキサ回路の出力信号は前記第２のミキサ回路に供給される、ならびに、前記第１のミキサ回路は、ミキサ入力信号、前記第１のハイブリッドの前記第１の出力信号、および前記第２のハイブリッドの前記第１の出力信号に基づいて、前記第１のミキサ回路の前記出力信号を生成する、請求項２１に記載の方法。
【請求項２３】
前記第１のハイブリッドの前記第２の出力信号は、接地に結合された第１の終端抵抗に供給される、および、前記第２のハイブリッドの前記第２の出力信号は、前記接地に結合された第２の終端抵抗に供給される、請求項２０に記載の方法。
【請求項２４】
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
１つの単一の出力信号のみを有し、および前記第１の入力信号を受信するように構成された移相するための第１の手段と、ここにおいて、前記移相するための第１の手段の出力は、増幅するための第３の手段の入力に結合される、ここにおいて、前記増幅するための第３の手段の出力は、前記生成するための第２の手段の第２の入力に結合される、およびここにおいて、前記移相するための第１の手段は、前記第１の入力信号の位相から第１の量だけ移相された第１の移相信号に対応する前記単一の出力信号を出力するように構成される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合される、
を備える装置。
【請求項２５】
前記移相するための第１の手段は、前記第１の入力信号の位相から第１の量だけ移相された第１の移相信号を出力するように構成される、および、前記移相するための第２の手段は、前記第２の入力信号の位相から第２の量だけ移相された第２の移相信号を出力するように構成される、請求項２４に記載の装置。
【請求項２６】
前記第１の量は約９０度である、および、前記第２の量は約９０度である、請求項２５に記載の装置。
【請求項２７】
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、請求項２５に記載の装置。
【請求項２８】
プロセッサによって実行されたとき、前記プロセッサに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
１つの単一の出力信号のみを有し、および前記第１の入力信号を受信し、前記第１の入力信号の位相から第１の量だけ移相された第１の移相信号に対応する前記単一の出力信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備える非一時的なコンピュータ可読媒体。
【請求項２９】
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、ここにおいて、前記第４の増幅器の出力は前記第１のハイブリッドの第２の入力に結合される、およびここにおいて、前記第１の量は、前記第２の量とは異なる、
を備えるデバイス。
【請求項３０】
前記第１のハイブリッドは第１の９０度ハイブリッドを備える、および、前記第２のハイブリッドは第２の９０度ハイブリッドを備える、請求項２９に記載のデバイス。
【請求項３１】
前記第１の量は約９０度である、請求項２９に記載のデバイス。
【請求項３２】
前記第２の量は約９０度である、請求項２９に記載のデバイス。
【請求項３３】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
請求項２９に記載のデバイス。
【請求項３４】
前記第１の移相信号が９０度の位相または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度の位相または２７０度の位相を有するとき、前記第４の増幅器は、９０度の位相を有する少なくとも１つの高調波と２７０度の位相を有する少なくとも１つの高調波とを含む第４の増幅信号を出力する、
請求項２９に記載のデバイス。
【請求項３５】
前記第１のハイブリッドの第１の出力はミキサ回路の第１の局部発振器入力に結合される、および、前記第２のハイブリッドの第１の出力は前記ミキサ回路の第２の局部発振器入力に結合される、請求項２９に記載のデバイス。
【請求項３６】
第１の増幅器、第２の増幅器、第３の増幅器、および第４の増幅器を含む複数の増幅器と、ここにおいて、前記第１の増幅器は、第１の入力信号を受信するように構成され、前記第２の増幅器は、第２の入力信号を受信するように構成される、
第１のハイブリッドと第２のハイブリッドとを含む複数のハイブリッドと、ここにおいて、前記第１のハイブリッドは、第１の対の入力信号を介して受信された電力を分割することに基づいて第１の対の出力信号を生成するように構成され、前記第１のハイブリッドの第１の入力は、前記第１の増幅器の出力に結合され、ここにおいて、前記第２のハイブリッドは、第２の対の入力信号を介して受信された電力を分割することに基づいて第２の対の出力信号を生成するように構成され、ここにおいて、前記第２のハイブリッドの第１の入力は、前記第２の増幅器の出力に結合され、およびここにおいて、前記複数のハイブリッドの各ハイブリッドの各入力は、前記複数の増幅器の単一の対応する増幅器の出力に接続される、
第１の入力信号を受信し、前記第１の入力信号の位相から第１の量だけ移相された第１の移相信号を出力するように構成された第１の移相器と、ここにおいて、前記第１の移相器の出力は、前記第３の増幅器の入力に結合され、前記第３の増幅器の出力は、前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備えるデバイス。
【請求項３７】
前記第１のハイブリッドは第１の９０度ハイブリッドを備える、および、前記第２のハイブリッドは第２の９０度ハイブリッドを備える、請求項３６に記載のデバイス。
【請求項３８】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の信号が１８０度の位相を有するとき、前記第２の増幅信号は、１８０度の位相を有する少なくとも１つの高調波を含む前記第２の増幅信号を出力する、
請求項３６に記載のデバイス。
【請求項３９】
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、ここにおいて、前記増幅するための第３の手段の出力は、前記生成するための第２の手段の第２の入力に結合される、およびここにおいて、前記移相するための第１の手段は、前記第１の入力信号の位相から第１の量だけ移相された第１の移相信号に出力するように構成される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合され、ここにおいて、前記移相するための第２の手段は、前記第２の入力信号の位相から第２の量だけ移相された第２の移相信号を出力するように構成され、前記第１の量は、前記第２の量とは異なる、
を備えるデバイス。
【請求項４０】
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、請求項３９に記載のデバイス。
【請求項４１】
プロセッサによって実行されたとき、前記プロセッサに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、ここにおいて、前記第１の量は、前記第２の量とは異なる、
を備える非一時的なコンピュータ可読媒体。
【請求項４２】
前記第１の量は約９０度である、請求項４１に記載の非一時的なコンピュータ可読媒体。
【請求項４３】
前記第２の量は約９０度である、請求項４１に記載の非一時的なコンピュータ可読媒体。
【手続補正２】
【補正対象書類名】明細書
【補正対象項目名】０１０５
【補正方法】変更
【補正の内容】
【０１０５】
[00112]開示する実施形態の先の説明は、当業者が開示する実施形態を作製または使用することを可能にするために提供されるものである。これらの実施形態に対する様々な変更は、当業者には容易に明らかであり、本明細書で定義される原理は、本開示の範囲から逸脱することなく他の実施形態に適用され得る。したがって、本開示は、本明細書に示される実施形態に限定されることを意図するものではなく、本開示には、以下の特許請求の範囲によって定義される原理および新規な特徴と一致する可能な最も広い範囲が与えられるべきである。
以下に、本願出願の当初の特許請求の範囲に記載された発明を付記する。
［Ｃ１］
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備えるデバイス。
［Ｃ２］
前記第１のハイブリッドは第１の９０度ハイブリッドを備える、および、前記第２のハイブリッドは第２の９０度ハイブリッドを備える、Ｃ１に記載のデバイス。
［Ｃ３］
前記第１の量は約９０度である、Ｃ１に記載のデバイス。
［Ｃ４］
前記第２の量は約９０度である、Ｃ１に記載のデバイス。
［Ｃ５］
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
Ｃ１に記載のデバイス。
［Ｃ６］
前記第１の移相信号が９０度または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度または２７０度の位相を有するとき、前記第４の増幅器は、９０度の位相を有する少なくとも１つの高調波と２７０度の位相を有する少なくとも１つの高調波とを含む第４の増幅信号を出力する、
Ｃ１に記載のデバイス。
［Ｃ７］
前記第１のハイブリッドの第１の出力はミキサ回路の第１の局部発振器入力に結合される、および、前記第２のハイブリッドの第１の出力は前記ミキサ回路の第２の局部発振器入力に結合される、Ｃ１に記載のデバイス。
［Ｃ８］
前記第１のハイブリッドの第２の出力は第１の終端抵抗を介して接地電位に結合される、および、前記第２のハイブリッドの第２の出力は第２の終端抵抗を介して前記接地電位に結合される、Ｃ７に記載のデバイス。
［Ｃ９］
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、Ｃ１に記載のデバイス。
［Ｃ１０］
前記第１のハイブリッドの第２の出力は第２のミキサ回路の第１の局部発振器入力に結合される、および、前記第２のハイブリッドの第２の出力は前記第２のミキサ回路の第２の局部発振器入力に結合される、Ｃ１に記載のデバイス。
［Ｃ１１］
第１のミキサ回路の出力は前記第２のミキサ回路の入力に結合される、Ｃ１０に記載のデバイス。
［Ｃ１２］
前記第２の入力信号は前記第１の入力信号から１８０度移相される、Ｃ１に記載のデバイス。
［Ｃ１３］
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第１のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第２のハイブリッドの第２の入力に結合される、
を備えるデバイス。
［Ｃ１４］
前記第１のハイブリッドは第１の９０度ハイブリッドを備える、および、前記第２のハイブリッドは第２の９０度ハイブリッドを備える、Ｃ１３に記載のデバイス。
［Ｃ１５］
前記第１の量は約９０度である、および、前記第２の量は約９０度である、Ｃ１３に記載のデバイス。
［Ｃ１６］
前記第１のハイブリッドの第１の出力信号は前記第１の入力信号の第１の高調波に相当する、前記第２のハイブリッドの第１の出力信号は前記第２の入力信号の第１の高調波に相当する、前記第１のハイブリッドの第２の出力信号は前記第１の入力信号の第３の高調波に相当する、および前記第２のハイブリッドの第２の出力信号は前記第２の入力信号の第３の高調波に相当する、Ｃ１３に記載のデバイス。
［Ｃ１７］
前記第１のハイブリッドの出力はミキサ回路の第１の入力に結合される、および前記第２のハイブリッドの出力は前記ミキサ回路の第２の入力に結合される、Ｃ１３に記載のデバイス。
［Ｃ１８］
前記第１のハイブリッドの第２の出力は第２のミキサ回路の第１の入力に結合される、および、前記第２のハイブリッドの第２の出力は前記第２のミキサ回路の第２の入力に結合される、Ｃ１７に記載のデバイス。
［Ｃ１９］
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力に結合される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力に結合される、
前記第１の入力信号を第１の移相器で受信し、前記第１の入力信号を移相して第１の移相信号を生成することと、ここにおいて、前記第１の移相信号は、前記第１の移相器によって出力され、第３の増幅器の入力に結合される、およびここにおいて、前記第３の増幅器の出力は前記第２のハイブリッドの第２の入力に結合される、
前記第２の入力信号を第２の移相器で受信し、前記第２の入力信号を移相して第２の移相信号を生成することと、ここにおいて、前記第２の移相信号は、前記第２の移相器によって出力され、第４の増幅器の入力に結合される、およびここにおいて、前記第４の増幅器の出力は前記第１のハイブリッドの第２の入力に結合される、
を備える方法。
［Ｃ２０］
前記第１の移相信号は前記第１の入力信号の位相から第１の量だけ移相される、および、前記第２の移相信号は前記第２の入力信号の位相から第２の量だけ移相される、Ｃ１９に記載の方法。
［Ｃ２１］
前記第１の量は約９０度である、および、前記第２の量は約９０度である、Ｃ２０に記載の方法。
［Ｃ２２］
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、Ｃ１９に記載の方法。
［Ｃ２３］
前記第１のハイブリッドの前記第１の出力信号は第１のミキサ回路の第１の局部発振器入力に供給される、および前記第２のハイブリッドの前記第１の出力信号は前記第１のミキサ回路の第２の局部発振器入力に供給される、Ｃ２２に記載の方法。
［Ｃ２４］
前記第１のハイブリッドの前記第２の出力信号は第２のミキサ回路の第１の局部発振器入力に供給される、および、前記第２のハイブリッドの前記第２の出力信号は前記第２のミキサ回路の第２の局部発振器入力に供給される、Ｃ２３に記載の方法。
［Ｃ２５］
前記第１のミキサ回路の出力信号は前記第２のミキサ回路に供給される、ならびに、前記第１のミキサ回路は、ミキサ入力信号、前記第１のハイブリッドの前記第１の出力信号、および前記第２のハイブリッドの前記第１の出力信号に基づいて、前記第１のミキサ回路の前記出力信号を生成する、Ｃ２４に記載の方法。
［Ｃ２６］
前記第１のハイブリッドの前記第２の出力信号は、接地に結合された第１の終端抵抗に供給される、および、前記第２のハイブリッドの前記第２の出力信号は、前記接地に結合された第２の終端抵抗に供給される、Ｃ２３に記載の方法。
［Ｃ２７］
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力に結合される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力に結合される、
前記第１の入力信号を第１の移相器で受信し、前記第１の入力信号を移相して第１の移相信号を生成することと、ここにおいて、前記第１の移相信号は、前記第１の移相器によって出力され、第３の増幅器の入力に結合される、およびここにおいて、前記第３の増幅器の出力は前記第１のハイブリッドの第２の入力に結合される、
前記第２の入力信号を第２の移相器で受信し、前記第２の入力信号を移相して第２の移相信号を生成することと、ここにおいて、前記第２の移相信号は、前記第２の移相器によって出力され、第４の増幅器の入力に結合される、およびここにおいて、前記第４の増幅器の出力は前記第２のハイブリッドの第２の入力に結合される、
を備える方法。
［Ｃ２８］
前記第１の移相信号は前記第１の入力信号の位相から第１の量だけ移相される、および、前記第２の移相信号は前記第２の入力信号の位相から第２の量だけ移相される、Ｃ２７に記載の方法。
［Ｃ２９］
前記第１の量は約９０度である、および、前記第２の量は約９０度である、Ｃ２８に記載の方法。
［Ｃ３０］
前記第１のハイブリッドの第１の出力信号は前記第１の入力信号の第１の高調波に相当する、前記第２のハイブリッドの第１の出力信号は前記第２の入力信号の第１の高調波に相当する、前記第１のハイブリッドの第２の出力信号は前記第１の入力信号の第３の高調波に相当する、および、前記第２のハイブリッドの第２の出力信号は前記第２の入力信号の第３の高調波に相当する、Ｃ２７に記載の方法。
［Ｃ３１］
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、およびここにおいて、前記増幅するための第３の手段の出力は、前記生成するための第２の手段の第２の入力に結合される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合される、
を備える装置。
［Ｃ３２］
前記移相するための第１の手段は、前記第１の入力信号の位相から第１の量だけ移相された第１の移相信号を出力するように構成される、および、前記移相するための第２の手段は、前記第２の入力信号の位相から第２の量だけ移相された第２の移相信号を出力するように構成される、Ｃ３１に記載の装置。
［Ｃ３３］
前記第１の量は約９０度である、および、前記第２の量は約９０度である、Ｃ３２に記載の装置。
［Ｃ３４］
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、Ｃ３２に記載の装置。
［Ｃ３５］
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号は前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、およびここにおいて、前記増幅するための第３の手段の出力は、前記生成するための第１の手段の第２の入力に結合される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第２の手段の第２の入力に結合される、
を備える装置。
［Ｃ３６］
前記移相するための第１の手段は、前記第１の入力信号の位相から第１の量だけ移相された第１の移相信号を出力するように構成される、および、前記移相するための第２の手段は、前記第２の入力信号の位相から第２の量だけ移相された第２の移相信号を出力するように構成される、Ｃ３５に記載の装置。
［Ｃ３７］
前記第１の量は約９０度である、および、前記第２の量は約９０度である、Ｃ３６に記載の装置。
［Ｃ３８］
プロセッサによって実行されたとき、前記プロセッサに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備える非一時的なコンピュータ可読媒体。
［Ｃ３９］
コンピュータによって実行されたとき、前記コンピュータに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は前記第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は前記第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第１のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第２のハイブリッドの第２の入力に結合される、
を備える非一時的なコンピュータ可読媒体。